(57)【特許請求の範囲】
【請求項１】
掃除機本体に上下に回動して起倒可能な把手が保持され、前記掃除機本体内にコードリールが回転自在に装着され、前記掃除機本体から引き出し可能に電源コードが前記コードリールに捲回され、前記電源コードを巻き取る方向に前記コードリールを回転付勢する回転付勢手段が設けられ、前記コードリールにブレーキドラムが同心に設けられ、前記掃除機本体に回動可能に保持されて前記ブレーキドラムに対してブレーキ部材を進退動可能に支持するブレーキレバーが設けられ、前記ブレーキ部材を前記ブレーキドラムに対して圧接する方向に前記ブレーキレバーを回動付勢するスプリングが設けられ、前記掃除機本体を貫通して突出し且つ前記把手を倒伏させたときに前記把手に係合する係合凸部が前記ブレーキレバーに設けられていると共に、前記把手を倒伏させて前記係合凸部を前記レバー付勢手段の付勢力に抗して押し下げることにより、前記ブレーキレバーを回動させて前記ブレーキ部材を前記ブレーキドラムから離反させてブレーキ力を解除し、前記電源コードを前記回転付勢手段で前記コードリールに巻き取らせる様にした電気掃除機において、
前記係合凸部は前記把手の回動軸とブレーキレバーの回動軸との間に位置していると共に、前記把手で前記係合凸部を前記スプリングの付勢力に抗して押し下げたときに、前記把手を押し下げる押圧力を変えないで前記スプリングを圧縮できるように、前記把手の下面を円弧状に且つ前記把手の円弧状の下面に接触する前記係合凸部の先端を鋭角に形成したことを特徴とする電気掃除機。
【発明の詳細な説明】
【０００１】
【発明の属する技術分野】
この発明は、電源コード巻取用のコードリールのブレーキ手段が設けられた電気掃除機に関するものである。
【０００２】
【従来の技術】
図１１は、電気掃除機の一例を概略的に示した斜視図である。この電気掃除機は、掃除機本体１と、掃除機本体１の前部に着脱可能に装着された集塵容器２と、集塵容器２に吸気負圧を作用させる図１２の電動送風機３を有する。また、電動送風機は、集塵容器２に連通する集塵ホース４と、集塵ホース４に接続された延長管５と、延長管５に接続された吸込口体６を有する。
【０００３】
この種の電気掃除機としては、電動送風機３に電力を供給するために用いる電源コード７を例えば図１２に示したような電源コード巻取装置８で巻き取るようにしたものが考えられている。
【０００４】
この電源コード巻取装置８は、掃除機本体１内に回転自在に装着されたコードリール９と、電源コード７を巻き取る方向にコードリール９を回転付勢するゼンマイバネ等の回転付勢手段（図示せず）と、このコードリール９の回転を規制する図１８，図１９のブレーキ手段１０と、ブレーキ解除手段１１を有する。
【０００５】
このブレーキ手段１０は、図１２，図１３に示したようにコードリール９に同心に設けられたブレーキドラム９ａと、図１８，１９に示したようにブレーキドラム９ａの上方に配設されたブレーキレバー１２を有する。このブレーキレバー１２は、下方に向けて延びるアーム部１２ａと図中左方に延びるアーム部１２ｂからＬ字状に形成されている。そして、アーム部１２ａ，１２ｂの連設部が回動軸１３により掃除機本体１に回動自在に保持されている。これにより、アーム部１２ａは回動軸１３を中心に上下回動し、アーム部１２ｂは回動軸１３を中心に前後回動するようになっている。尚、アーム部１２ａは、図１８中紙面に直交する方向に一対設けられている。
【０００６】
このアーム部１２ａには前後に延びるカム穴１４が形成され、このカム穴１４ａには一対のアーム部１２ａ，（他方図示せず）間に配設したゴム製のブレーキローラ（ブレーキ部材）１５の支持軸１５ａが挿通されている。また、アーム部１２ｂの下面と掃除機本体１内のバネ受け１６との間にはコイルスプリング１７がレバー付勢手段として介装されている。このコイルスプリング１７は、ブレーキ部材であるブレーキローラ１５がブレーキドラム９ａに対して係合圧接する方向にブレーキレバー１２を回動付勢している。
【０００７】
ブレーキ解除手段１１は、アーム部１２ｂに上方に向けて突設した係合凸部１８と、図１１，図１３，図１６〜図１９に示した如く上述した掃除機本体１の上壁１ａ上に配設されたＵ字状の把手１９を有する。この係合凸部１８は、アーム部１２ｂの回動軸１３側に形成されている。また、係合凸部１８は、回動軸１３側に緩やかな傾斜面１８ａを有し且つアーム部１２ｂの中間側に急傾斜面１８ｂを有する。更に、この係合凸部１８の上端には当接面１８ｃが形成され、上壁１ａには上方に開放し且つ先端が前側に位置するＵ字状の把手収納凹部（収納溝）２０が図１１，図１３〜図１９に示した如く形成されている。そして、把手１９の両端部は、把手収納凹部２０の両端部（前端部）内に配設されていると共に、支持軸１９ａを介して掃除機本体１の上壁１ａに回動可能に保持されている。これにより把手１９は、支持軸１９ａを中心に上下回動できるようになっていると共に、倒伏時に把手収納凹部２０内に収納されるようになっている。
【０００８】
そして、把手収納凹部２０の一方の前端部は、ブレーキレバー１２にアーム部１２ｂ上に配置されている。この把手収納凹部２０の一方の前端部の底壁２０ａには、挿通孔２１が図１４，図１５，図１８，図１９に示した如く形成されている。しかも、上述した係合凸部１８は、挿通孔２１を介して底壁２０ａの上方に突出している。
【０００９】
この様な構成においては、把手１９を図１６に示した如く起立させて掴むことにより、掃除機本体１を持ち運びできることになる。
【００１０】
また、清掃終了後に、把手１９を倒伏させて、把手１９を把手収納凹部２０内に収納させると、把手１９が係合凸部１８の上端に当接する。この状態から把手１９の後端部（図２０では位置Ｐ１）を下方に図１７に示した如く押圧して、把手１９により係合凸部１８をレバー付勢手段であるコイルスプリング１７の付勢力に抗して押し下げることにより、ブレーキレバー１２のアーム部１２ｂが下方に回動させられると共に、ブレーキレバー１２のアーム部１２ａが後方に回動させられて、ブレーキ部材であるブレーキローラ１５がブレーキドラム９ａから図１９に示した如く離反させられる。これによりブレーキ力が解除されて、電源コード７が掃除機本体１から引き出された状態では、コードリール９が図示しない回転付勢手段で回転させられて、電源コード７がコードリール９に巻き取られることになる。
【００１１】
ところで、上述した構成において、図１８の如く把手１９が係合凸部１８の上端に当接する当接初期には把手１９が当接面１８ｃの一点鎖線Ｓ１で示した前端の位置Ｐ２に当接しているので、この位置で把手１９の後端部（図２０の位置Ｐ１）を図１７の如く下方にＦ１の力で押圧すると、把手１９からの押圧力Ｆ２が押圧初期には図１８の如く当接面１８の前端の位置Ｐ２で係合凸部１８に作用することになる。この際、アーム部１２ｂは、位置Ｐ３でコイルスプリング１７を力Ｆ３で下方に押圧し、コイルスプリング１７の圧縮を開始する。
【００１２】
そして、更に把手１９の後端部を押し下げると、アーム部１２ｂ及び係合凸部１８が回動軸１３を中心に下方に一体に回動して、コイルスプリング１７が圧縮され、コイルスプリング１７の反発力が大きくなる。この反発力は、把手１９の後端部の押し下げ量が大きくなるに従って大きくなる。
【００１３】
この様にアーム部１２ｂ及び係合凸部１８が回動軸１３を中心に下方に一体に回動させられると、当接面１８ｃの傾斜が図１９の如く大きくなって、係合凸部１８が把手１９に当接面１８ｃの一点鎖線Ｓ２で示した後端の位置Ｐ２′で当接することになる。図１８，図１９中、Ｃ１はブレーキレバー１２を回動軸１３を中心に回動させたときの当接面１８ｃの前端（位置Ｐ２）の円弧状の回動軌跡、Ｃ２はブレーキレバー１２を回動軸１３を中心に回動させたときの当接面１８ｃの後端（位置Ｐ２′）の円弧状の回動軌跡である。
【００１４】
【発明が解決しようとする課題】
しかしながら、この様に把手１９を押し下げるに従って、把手１９が係合凸部１８を押圧する位置、即ち把手１９の係合凸部１８への当接位置が当接面１８ｃの前端の位置Ｐ２から後端（回動軸１３側）の位置Ｐ２′に移動すると、把手１９の係合凸部１８への当接位置から回動軸１３の中心までの距離がｂからｂ′と短くなると共に、コイルスプリング１７の圧縮に伴う反発力が大きくなるため、把手１９を押圧する押圧力を大きくしなければ、ブレーキレバー１２のアーム部１２ｂを下方に押圧変位させることができない傾向にある。このため、上述した構成においては、ブレーキ解除操作のための把手１９の押圧操作が容易ではなかった。
【００１５】
そこで、この発明は、コード巻取方向に回転付勢されているコードリールへのブレーキ力を解除するために把手を押し下げたときに、この把手の押し下げ量に拘わらずブレーキ力を解除する際の把手の押圧操作力が大きくならず、ブレーキ力の解除操作が容易な電気掃除機を提供することを目的とするものである。
【００１６】
【課題を解決するための手段】
この目的を達成するため、請求項１の発明は、掃除機本体に上下に回動して起倒可能な把手が保持され、前記掃除機本体内にコードリールが回転自在に装着され、前記掃除機本体から引き出し可能に電源コードが前記コードリールに捲回され、前記電源コードを巻き取る方向に前記コードリールを回転付勢する回転付勢手段が設けられ、前記コードリールにブレーキドラムが同心に設けられ、前記掃除機本体に回動可能に保持されて前記ブレーキドラムに対してブレーキ部材を進退動可能に支持するブレーキレバーが設けられ、前記ブレーキ部材を前記ブレーキドラムに対して圧接する方向に前記ブレーキレバーを回動付勢するスプリングが設けられ、前記掃除機本体を貫通して突出し且つ前記把手を倒伏させたときに前記把手に係合する係合凸部が前記ブレーキレバーに設けられていると共に、前記把手を倒伏させて前記係合凸部を前記レバー付勢手段の付勢力に抗して押し下げることにより、前記ブレーキレバーを回動させて前記ブレーキ部材を前記ブレーキドラムから離反させてブレーキ力を解除し、前記電源コードを前記回転付勢手段で前記コードリールに巻き取らせる様にした電気掃除機において、
前記係合凸部は前記把手の回動軸とブレーキレバーの回動軸との間に位置していると共に、前記把手で前記係合凸部を前記スプリングの付勢力に抗して押し下げたときに、前記把手を押し下げる押圧力を変えないで前記スプリングを圧縮できるように、前記把手の下面を円弧状に且つ前記把手の円弧状の下面に接触する前記係合凸部の先端を鋭角に形成した電気掃除機としたことを特徴とする。
【００１７】
また、請求項２の発明は、請求項１に記載の電気掃除機において、前記係合凸部と前記把手との当接部が前記把手の回動軸と前記ブレーキレバーの回動軸との間に配置されていることにより、前記係合凸部が前記把手で押し下げられる際に、前記当接部が前記把手の回動中心側に移動するように設定したことを特徴とする。
【００１８】
【発明の実施の形態】
以下、この発明の実施の形態を図１〜図１０に基づいて説明する。
[構成]
図１は、この発明に係る電源コード巻取装置を備える電気掃除機を概略的に示した斜視図である。この電気掃除機は、掃除機本体１と、掃除機本体１の前部に着脱可能に装着された集塵容器２と、集塵容器２に吸気負圧を作用させる図１２の電動送風機３を有する。また、電気掃除機は、集塵容器２に連通する集塵ホース４と、集塵ホース４に接続された延長管５と、延長管５に接続された吸込口体６を有する。
【００１９】
この電気掃除機は、電動送風機３に電力を供給するために用いる電源コード７と、この電源コード７を巻き取る電源コード巻取装置８′を有する。
【００２０】
この電源コード巻取装置８′は、掃除機本体１内に回転自在に装着されたコードリール９と、電源コード７を巻き取る方向にコードリール９を回転付勢するゼンマイバネ等の回転付勢手段（図示せず）と、このコードリール９の回転を規制する図８，図９のブレーキ手段１０と、ブレーキ解除手段１１を有する。
【００２１】
このブレーキ手段１０は、図２，図３，図８，図９に示したようにコードリール９に同心に設けられたブレーキドラム９ａと、図８，９に示したようにブレーキドラム９ａの上方に配設されたブレーキレバー１２を有する。このブレーキレバー１２は、下方に向けて延びるアーム部１２ａと図中左方に延びるアーム部１２ｂからＬ字状に形成されている。そして、アーム部１２ａ，１２ｂの連設部が回動軸１３により掃除機本体１に回動自在に保持されている。これにより、アーム部１２ａは回動軸１３を中心に上下回動し、アーム部１２ｂは回動軸１３を中心に前後回動するようになっている。尚、アーム部１２ａは、図１８中紙面に直交する方向に一対設けられている。
【００２２】
このアーム部１２ａには前後に延びるカム穴１４が形成され、このカム穴１４ａには一対のアーム部１２ａ，（他方図示せず）間に配設したゴム製のブレーキローラ（ブレーキ部材）１５の支持軸１５ａが挿通されている。また、アーム部１２ｂの下面と掃除機本体１内のバネ受け１６との間にはコイルスプリング１７がレバー付勢手段として介装されている。このコイルスプリング１７は、ブレーキ部材であるブレーキローラ１５がブレーキドラム９ａに対して係合圧接する方向にブレーキレバー１２を回動付勢している。
【００２３】
ブレーキ解除手段１１は、アーム部１２ｂに上方に向けて突設した係合凸部３０と、図１，図３，図６〜図９に示した如く上述した掃除機本体１の上壁１ａ上に配設されたＵ字状の把手１９を有する。この係合凸部３０は、アーム部１２ｂの自由端部側に形成されている。また、係合凸部３０は、自由端側に緩やかな傾斜面３０ａを有し且つアーム部１２ｂの中間側に段差３０ｂを有する。更に、この係合凸部３０の上端には鋭角な先端３０ｃが形成されている。この係合凸部３０は回動軸１３とこの回転軸１３より上方に位置する支持軸１９ａとの間に位置している。
【００２４】
また、上壁１ａには上方に開放し且つ先端が前側に位置するＵ字状の把手収納凹部（収納溝）２０が図１，図３〜図９に示した如く形成されている。そして、把手１９の両端部は、把手収納凹部２０の両端部（前端部）内に配設されていると共に、支持軸１９ａを介して掃除機本体１の上壁１ａに回動可能に保持されている。これにより把手１９は、支持軸１９ａを中心に上下回動できるように（起倒可能に）なっていると共に、倒伏時に把手収納凹部２０内に収納されるようになっている。
【００２５】
そして、把手収納凹部２０の一方の前端部は、ブレーキレバー１２のアーム部１２ｂ上に配置されている。この把手収納凹部２０の一方の前端部の底壁２０ａには、挿通孔２１が図４，図５，図８，図９に示した如く形成されている。しかも、上述した係合凸部３０は、挿通孔２１を介して底壁２０ａの上方に突出している。
[作用]
次に、この様な構成の電気掃除機の電源コード巻取装置の作用を説明する。
【００２６】
この様な構成においては、把手１９を図６に示した如く起立させて掴むことにより、掃除機本体１を持ち運びできることになる。
【００２７】
また、掃除機本体１の持ち運び以外のときには、把手１９を後方に倒伏させて把手収納凹部２０内に収納する。例えば、清掃時や、清掃終了後においては、把手１９を倒伏させて、把手１９を把手収納凹部２０内に収納させる。この状態では、把手１９が係合凸部３０の上端に当接していると共に、把手１９の後端部が掃除機本体１の上面から僅かに突出している。
【００２８】
そして、清掃終了後に、把手１９を倒伏させて、把手１９を把手収納凹部２０内に収納させると、把手１９が上述の如く係合凸部３０の上端に当接する。尚、Ｂは係合凸部３０と把手１９との当接部を示す。
【００２９】
この状態から把手１９の後端部（図１０では位置Ｐ１）を図７に示した如く下方に押圧して、把手１９により係合凸部３０をレバー付勢手段であるコイルスプリング１７の付勢力に抗して押し下げることにより、ブレーキレバー１２のアーム部１２ｂが下方に回動させられると共に、ブレーキレバー１２のアーム部１２ａが後方に回動させられて、ブレーキ部材であるブレーキローラ１５がブレーキドラム９ａから図９に示した如く離反させられる。これによりブレーキ力が解除されて、電源コード７が掃除機本体１から引き出された状態では、コードリール９が図示しない回転付勢手段で回転させられて、電源コード７がコードリール９に巻き取られることになる。
【００３０】
ところで、上述の様に把手１９が係合凸部３０の上端に当接する当接初期には把手１９が係合凸部３０の鋭角な先端３０ｃに当接している。この位置で把手１９の後端部（図８の位置Ｐ１）を下方に力Ｆ１で押圧すると、把手１９からの押圧力Ｆ２が押圧初期には係合凸部３０の鋭角な先端（アーム部１２ｂの位置Ｐ２）３０ｃに作用することになる。この際、アーム部１２ｂは、位置Ｐ３でコイルスプリング１７を下方に力Ｆ３で押圧し、コイルスプリング１７の圧縮を開始する。この際、係合凸部３０の先端３０ｃは、図８，図９にＣ３で示したように回動軸１３の回動中心を中心とする円弧状の軌跡をとる。この軌跡は、図１９に示した円弧状の軌跡Ｃ２よりも半径が大きい。
【００３１】
ここで、把手１９の後端部から支持軸１９ａの回動中心までの距離をａとして、支持軸１９ａの回動中心からアーム部１２の係合突起３０の先端３０ｃまでの距離をＬとすると、把手１９がアーム部１２ｂを下方に回動させる押圧力Ｆ２は、
【００３２】
【数１】
0003939531.tif 000002
【００３３】
となる。この際、アーム部１２ｂがコイルスプリング１７を圧縮する押圧力Ｆ３は、
【００３４】
【数２】
0003939531.tif 000003
【００３５】
となる。従って、押圧力Ｆ３は、（１），（２）式より
【００３６】
【数３】
0003939531.tif 000004
【００３７】
となる。また、コイルスプリング１７のバネ常数をｋ、押圧力Ｆ３で圧縮変形させたときの圧縮変位量をχとすると、コイルスプリング１７の反発力Ｆｓは、Ｆｓ＝ｋ・χで表すことができる。
【００３８】
この様な関係において、更に把手１９の後端部を押し下げると、アーム部１２ｂ及び係合凸部３０が回動軸１３を中心に下方に一体に回動して、コイルスプリング１７が圧縮され、コイルスプリング１７の反発力Ｆｓが大きくなる。この反発力Ｆｓは、把手１９の後端部の押し下げ量が大きくなるに従って大きくなる。この際、Ｆｓ＜Ｆ３のときにコイルスプリング１７を圧縮することができる。
【００３９】
しかし、係合凸部３０の先端３０ｃは、側面形状が鋭角に形成されていて、側方から見たときに把手１９に点で接触することになる。この結果、上述の様にアーム部１２ｂ及び係合凸部３０が回動軸１３を中心に下方に一体に回動させられても、係合凸部３０の鋭角な先端（アーム部１２ｂの位置Ｐ２）３０ｃが把手１９に当接している状態が変化しないので、把手１９の係合凸部３０への当接位置から回動軸１３の中心までの距離ｂが変化しない。即ち、把手１９で係合凸部３０を押し下げている間、係合凸部３０と把手１９との当接部Ｂからブレーキレバー１２の回動中心までの距離が略一定となるように、把手１９と係合凸部３０の当接部Ｂの形状が設定されている。本実施例では、係合凸部３０の先端３０ｃを鋭角にし、把手１９の下面を円弧状に湾曲させている。ここで、把手１９の支持軸１９ａの回動中心（回動軸線）から位置Ｐ１までの距離及び回動軸１３の回転中  心から位置Ｐ３までの距離ｃは一定である。この結果、把手１９からコイルスプリング１７に作用する押圧力（圧縮力）Ｆ３は、（３）式より距離Ｌの変化のみにより変化することになる。
【００４０】
しかも、この際、係合凸部３０の先端３０ｃの把手１９への当接位置は、アーム部１２ｂが回動軸１３を中心に下方に回動させられるに従って、把手１９の支持軸１９ａ側に移動することになる。これにより、アーム部１２ｂが回動軸１３を中心に下方に回動させられるに従って、係合凸部３０の先端３０ｃと把手１９との当接位置から支持軸１９ａまでの距離ＬはＬ１からＬ２と短くなる。
【００４１】
従って、把手１９の後端部が下方に押圧力Ｆ１で押圧されて、アーム部１２ｂ及び係合凸部３０が回動軸１３を中心に下方に一体に回動させられて、コイルスプリング１７が圧縮されるに従ってコイルスプリング１７の反発力Ｆｓが大きくなっても、距離ＬがＬ１からＬ２と短くなって、コイルスプリング１７を押圧する押圧力Ｆ３が（３）式から分かる様に大きくなるので、把手１９の後端部を押圧する押圧力Ｆ１を大きくすることなくコイルスプリング１７を略同じ力で圧縮することができ、ブレーキ解除操作のための把手１９の押圧操作を容易に行うことができる。
【００４３】
【発明の効果】
以上説明したように構成したので、請求項１の発明は、コード巻取方向に回転付勢されているコードリールへのブレーキ力を解除するために把手を押し下げたときに、この把手の押し下げ量に拘わらずブレーキ力を解除する際の把手の押圧操作力が大きくならない。この結果、ブレーキ力の解除操作を容易に行うことができる。
【図面の簡単な説明】
【図１】この発明に係る電源コード巻取装置付の電気掃除機の概略斜視図である。
【図２】図１の電気掃除機のコードリールの配置を示す掃除機本体の要部断面図である。
【図３】図１の掃除機本体の平面図である。
【図４】図３の把手を省略した状態の把手収納凹部の部分平面図である。
【図５】図４の部分斜視図である。
【図６】図１の掃除機本体の把手を起立させたときの使用説明図である。
【図７】図１の掃除機本体の把手を倒伏させたときの使用説明図である。
【図８】図３のＡ−Ａ線に沿う断面図である。
【図９】図８の把手の後端部が下方に押圧されてブレーキ力が解除されたときの説明図である。
【図１０】図８，図９の模式的な作用説明図である。
【図１１】電源コード巻取装置付の電気掃除機の一例を示す概略斜視図である。
【図１２】図１１の電気掃除機のコードリールの配置を示す掃除機本体の要部断面図である。
【図１３】図１１の掃除機本体の平面図である。
【図１４】図１３の把手を省略した状態の把手収納凹部の部分平面図である。
【図１５】図１４の部分斜視図である。
【図１６】図１１の掃除機本体の把手を起立させたときの使用説明図である。
【図１７】図１１の掃除機本体の把手を倒伏させたときの使用説明図である。
【図１８】図１３のＡ−Ａ線に沿う断面図である。
【図１９】図１８の把手の後端部が下方に押圧されてブレーキ力が解除されたときの説明図である。
【図２０】図１８，図１９の模式的な作用説明図である。
【符号の説明】
１・・・掃除機本体
１ａ・・・上壁
７・・・電源コード
８′電源コード巻取装置
９・・・コードリール
９ａ・・・ブレーキドラム
１２・・・ブレーキレバー
１３・・・回動軸
１５・・・ブレーキローラ（ブレーキ部材）
１７・・・コイルスプリング（レバー付勢手段）
１９・・・把手
１９ａ・・・支持軸
３０・・・係合凸部
【図１】
0003939531.tif 000005
【図２】
0003939531.tif 000006
【図３】
0003939531.tif 000007
【図４】
0003939531.tif 000008
【図５】
0003939531.tif 000009
【図６】
0003939531.tif 000010
【図７】
0003939531.tif 000011
【図８】
0003939531.tif 000012
【図９】
0003939531.tif 000013
【図１０】
0003939531.tif 000014
【図１１】
0003939531.tif 000015
【図１２】
0003939531.tif 000016
【図１３】
0003939531.tif 000017
【図１４】
0003939531.tif 000018
【図１５】
0003939531.tif 000019
【図１６】
0003939531.tif 000020
【図１７】
0003939531.tif 000021
【図１８】
0003939531.tif 000022
【図１９】
0003939531.tif 000023
【図２０】
0003939531.tif 000024